(57)【要約】【課題】拡散部材を用いることなく、ブック原稿における光量ムラの影響を低減する。【解決手段】画像読み取り装置は、原稿を載置するための原稿台と、原稿に対して相対的に第１方向に移動し、第１方向に並べて配置された複数の光源を備えた光源ユニットと、選択手段とを備えている。とりわけ、選択手段は、複数の光源のうち、第１方向における光源ユニットの移動位置に応じて、点灯すべき光源と消灯すべき光源とを選択する。【選択図】図６
2010212799.tif 000002
【特許請求の範囲】
【請求項１】
画像読み取り装置であって、
原稿を載置するための原稿台と、
前記原稿に対して相対的に第１方向に移動し、該第１方向に並べて配置された複数の光源を備えた光源ユニットと、
前記複数の光源のうち、前記第１方向における前記光源ユニットの移動位置に応じて、点灯すべき光源と消灯すべき光源とを選択する選択手段を含むことを特徴とする画像読み取り装置。
【請求項２】
前記複数の光源は、
原稿の読み取り位置に対して前記第１方向における後方側から光を照射する第１光源と、
前記読み取り位置に対して前記第１方向における前方側から光を照射する第２光源と
を含むことを特徴とする請求項１に記載の画像読み取り装置。
【請求項３】
前記選択手段は、
予め定められた点灯・消灯切り替え位置まで前記光源ユニットが移動する間は前記第１光源を点灯させるとともに前記第２光源を消灯させておき、前記光源ユニットが該点灯・消灯切り替え位置を過ぎると前記第１光源を消灯させるとともに前記第２光源を点灯させる点灯制御手段
を含むことを特徴とする請求項２に記載の画像読み取り装置。
【請求項４】
前記点灯制御手段は、
前記原稿の前記第１方向における長さの２分の１に対応する移動位置を基準として、点灯すべき光源と消灯すべき光源とを切り替える切り替え手段
を含むことを特徴とする請求項３に記載の画像読み取り装置。
【請求項５】
前記原稿の前記第１方向における長さを決定する決定手段と、
前記光源ユニットの移動距離を計測する計測手段と
をさらに含み、
前記切り替え手段は、
前記原稿の前記第１方向における長さと前記光源ユニットの移動距離とに基づいて、点灯すべき光源と消灯すべき光源とを切り替える
ことを特徴とする請求項４に記載の画像読み取り装置。
【請求項６】
前記決定手段は、
前記原稿の前記第１方向における長さを測定する測定手段と、
前記原稿の前記第１方向における長さを入力する入力手段と
のいずれか一方であることを特徴とする請求項５に記載の画像読み取り装置。
【請求項７】
ブックタイプの原稿を読み取るブック原稿モードと、シートタイプの原稿を読み取るシート原稿モードとのいずれかを指定するモード指定手段をさらに備え、
前記点灯制御手段は、
前記ブック原稿モードが指定されると、前記光源ユニットの移動位置に応じて前記第１光源と前記第２の光源とを択一的に点灯させ、
前記シート原稿モードが指定されると、前記光源ユニットの移動位置に依存することなく前記第１光源と前記第２の光源との双方を点灯させる
ことを特徴とする請求項３に記載の画像読み取り装置。
【請求項８】
前記ブック原稿モードが指定されると、前記シート原稿モードが指定されたときと比較し、前記原稿の１ラインあたりの読み取り時間を相対的に長くするとともに、前記光源ユニットの移動速度を相対的に低速に変更する変更手段
を含むことを特徴とする請求項７に記載の画像読み取り装置。
【請求項９】
前記ブック原稿モードが指定されると、前記シート原稿モードが指定されたときと比較し、点灯する光源の光量を相対的に増加させる光量制御手段
を含むことを特徴とする請求項７に記載の画像読み取り装置。
【請求項１０】
前記光源は、前記第１方向に直交する第２方向に配列された複数の点光源を有することを特徴とする請求項１に記載の画像読み取り装置。
【請求項１１】
複写機であって、
請求項１ないし１０のいずれか１項に記載の画像読み取り装置
を備えたことを特徴とする複写機。
【発明の詳細な説明】
【技術分野】
【０００１】
本発明は、一般に、画像読み取り装置に係り、特に、光源が画像に写り込むことを抑制する技術に関する。
【背景技術】
【０００２】
画像読み取り装置の光源としては、従来、キセノンランプや冷陰極管などの管光源が使用されてきたが、近年になり、白色ＬＥＤが採用されつつある。白色ＬＥＤは電力効率が優れているものの、絶対的な光量が従来のランプに比べて少ない。そこで、高速、高画質を求められる複写機用の画像読み取り装置では、主走査方向に複数の白色ＬＥＤチップがアレイ状に配列される。これにより、原稿の主走査全域が十分に照明される。
【０００３】
ところで、原稿の凹凸による光拡散のため、いわゆる光量ムラが発生することがある。一般に、オフィス等で使用されるシートタイプの原稿については、光量ムラの影響が小さい。しかし、原稿台ガラスに密着しないような原稿（例：製本されたもの（以下、ブック原稿と称する。）については、光量ムラの影響を無視できないことがある。
【０００４】
図９は、読み取った画像に生じた光量ムラの一例を示した図である。ブック原稿１００は、ブックタイプの原稿であり、例えば、雑誌等に用いられる光沢のある紙種が使用された製本物である。原稿台ガラス１０１は、原稿が載置されるガラスである。白色ＬＥＤアレイ１０２ａ、１０２ｂはそれぞれ、複数の白色ＬＥＤを主走査方向に配置した光源である。白色ＬＥＤアレイ１０２ａ、１０２ｂは、光源または光源列と呼ぶことができる。白色ＬＥＤアレイ１０２ａ、１０２ｂは、図の左から右（副走査方向）に移動する。主走査方向は副走査方向に直交する方向であり、図の奥行き方向（図面の法線方向）に相当する。
【０００５】
ところで、ブック原稿１００では、背表紙部分を原稿台ガラス１０１に密着させることが難しいため、原稿の読み取り面（原稿面）の一部が原稿台ガラス１０１に対して浮いた状態になる。特に、ＬＥＤを主走査方向に複数配置した構成の光源を使用した場合は、原稿台ガラス１０１から浮いた領域の一部で、ＬＥＤの発光点が画像に写り込んでしまうという現象が生じる。とりわけ、原稿面への照射角度と、原稿面の曲率との関係が所定の条件になると、ＬＥＤの発した光が原稿面で正反射する。図中のポイントＰ１、Ｐ２はこの現象が生じる原稿面上のポイントを示している。
【０００６】
画像１０３は、ブック原稿１００の読み取った結果を示している。画像１０３に対する正反射光の影響をわかりやすくするため、ブック原稿１００には高濃度の黒原稿が採用されている。
【０００７】
図９によれば、ポイントＰ１、Ｐ２に相当する副走査位置（移動位置）で、複数のＬＥＤの発光点が画像１０３に写りこんでしまっていることがわかる。このように、ブック原稿では、主走査方向に連続した白い点状の模様として光量ムラが現われてしまう。なお、副走査方向の２箇所で写り込みが生じたのは、ポイントＰ１では白色ＬＥＤアレイ１０２ａによる原稿面上での正反射のためで、ポイントＰ２では白色ＬＥＤアレイ１０２ｂによる正反射のためである。
【０００８】
このように、原稿の条件にもよるが、複数の白色ＬＥＤを主走査方向に配列してなる光源を使用すると、主走査方向の光量ムラにより、画像品位を低下させてしまうことがある。
【０００９】
このような光量ムラを低減する方法が特許文献１に記載されている。特許文献１によれば、原稿台ガラスの法線に対して所定の角度傾斜させた導光体をＬＥＤと原稿面との間に配置することが提案されている。さらに、特許文献１によれば、ＬＥＤの数、ＬＥＤの間隔、導光体の形状、及び、原稿台ガラスの原稿読み取り位置を適宜選択することにより、光量ムラを拡散できると説明されている。
【先行技術文献】
【特許文献】
【００１０】
【特許文献１】特開２００６−１７９５１号公報、図２（ｂ）、図３（ｂ）
【発明の概要】
【発明が解決しようとする課題】
【００１１】
しかし、導光体などの拡散部材は、コストアップの要因となりやすい。また、拡散部材は、原稿の読み取り品質（Ｓ／Ｎ比など）を低下させてしまうおそれがある。なぜなら、拡散部材は、原稿面の照度を低下させてしまうからである。また、拡散部材により光量ムラが拡散できたとしても、図９のポイントＰ１、Ｐ２の位置では他の副走査位置に比べて明るくなってしまう（光源が写り込む）おそれがある。
【００１２】
そこで、本発明は、このような課題および他の課題のうち、少なくとも１つを解決することを目的とする。例えば、本発明は、拡散部材を用いることなく、ブック原稿における光量ムラの影響を低減することを目的とする。なお、他の課題については明細書の全体を通して理解できよう。
【課題を解決するための手段】
【００１３】
本発明は、例えば、画像読み取り装置に適用できる。画像読み取り装置は、原稿を載置するための原稿台と、原稿に対して相対的に第１方向に移動し、第１方向に並べて配置された複数の光源を備えた光源ユニットと、選択手段とを備えている。とりわけ、選択手段は、複数の光源のうち、第１方向における光源ユニットの移動位置に応じて、点灯すべき光源と消灯すべき光源とを選択する。
【発明の効果】
【００１４】
本発明によれば、ブック原稿を読み取る際の光源の写り込みを低減することができる。
【図面の簡単な説明】
【００１５】
【図１】実施形態に係る画像読み取り装置３０１の断面図である。
【図２】白色ＬＥＤを画像読み取り装置の光源として使用する際のＬＥＤアレイの一例を模式的に表した図である。
【図３】実施形態に係る制御部の一例を示したブロック図である。
【図４】ブック原稿モードが指定された際の読み取り動作の一例を示したフローチャートである。
【図５】ＴＧ部４０８でのＨＳＹＮＣ信号のカウント値と白色ＬＥＤアレイ１０２ａ、１０２ｂの点灯状態を示したタイミングチャートである。
【図６】実施形態に係る画像読み取り装置を用いてブック原稿を読み取ったときの画像の一例を示した図である。
【図７】実施形態２に係る制御方法の一例を示したフローチャートである。
【図８】実施形態２に係る制御方法の一例を示したフローチャートである。
【図９】読み取った画像に生じた光量ムラの一例を示した図である。
【発明を実施するための形態】
【００１６】
以下に本発明の一実施形態を示す。以下で説明される個別の実施形態は、本発明の上位概念、中位概念および下位概念など種々の概念を理解するために役立つであろう。また、本発明の技術的範囲は、特許請求の範囲によって確定されるのであって、以下の個別の実施形態によって限定されるわけではない。
【００１７】
［実施形態１］
図１は、実施形態に係る画像読み取り装置３０１の断面図である。すでに説明した箇所には同一の参照符号を付与することで、説明を簡潔にする。画像読み取り装置３０１は、イメージスキャナ、イメージリーダと呼ばれることがある。画像読み取り装置３０１は、単体の装置であってもよいし、複写機や複合機の一部であってもよい。複写機や複合機は、主に、画像読み取り装置と画像を形成する画像形成装置とにより構成される。
【００１８】
圧板３０２は、原稿台ガラス１０１に対して原稿が密着するよう原稿を押下するための部材である。シェーディング板３０３は、画像を読み取るラインセンサ３１０の画素ごとの感度ばらつきを補正するためのシェーディング補正係数を算出する際に読み取られる。
【００１９】
第１ミラーユニット３０４は、白色ＬＥＤアレイ１０２ａ、１０２ｂを備え、原稿に対して相対的に副走査方向に移動する。なお、第１ミラーユニット３０４は、原稿に対して相対的に第１方向（副走査方向）に移動し、第１方向に並べて配置された複数の光源を備えた光源ユニットの一例である。また、白色ＬＥＤアレイは、第１方向に直交する第２方向（主走査方向）に配列された複数の点光源を有する光源の一例である。
【００２０】
白色ＬＥＤアレイ１０２ｂは、原稿の読み取り位置（原稿面上の照射位置）に対して第１方向（副走査方向）における後方側から光を照射する第１光源の一例である。白色ＬＥＤアレイ１０２ａは、原稿台に対して原稿の読み取り面の少なくとも一部が平行とならないときに第１光源に対して択一的に点灯し、第１方向における前方側から光を照射する第２光源の一例である。ここでは、２列の白色ＬＥＤアレイ１０２ａ、１０２ｂを採用しているが、３列以上の白色ＬＥＤが採用されてもよい。
【００２１】
第１ミラー３０５は、原稿からの反射光を後段の光学ミラーに導くための光学部品である。第２ミラーユニット３０６は、第２ミラー３０７、第３ミラー３０８を備えている。第１ミラー３０５で反射された原稿の反射光は、第２ミラー３０７及び第３ミラー３０８を介して、レンズ３０９に導かれる。原稿の反射光は、さらにレンズ３０９により、ラインセンサ３１０の受光面上に結像される。なお、図１において、白色ＬＥＤアレイ１０２ａ、１０２ｂから原稿台ガラス１０１に至る破線は、白色ＬＥＤアレイが発する光の軌跡を模式的に描いたものである。
【００２２】
第１ミラーユニット３０４及び第２ミラーユニット３０６は、矢印Ｓの方向（副走査方向）に向かって移動することにより、ラインセンサ３１０は、原稿台ガラス１０１に載置された原稿をライン単位で読み取る。
【００２３】
図２は、白色ＬＥＤを画像読み取り装置の光源として使用する際のＬＥＤアレイの一例を模式的に表した図である。白色ＬＥＤアレイ１０２ａ、１０２ｂは、プリント基板２００を備え、プリント基板２００上には複数の白色ＬＥＤチップ２０１が搭載されている。複数の白色ＬＥＤチップ２０１は、主走査方向に沿って配置されている。主走査方向の中央部に対して、端部では、白色ＬＥＤチップ２０１の実装密度が高い。これは、レンズ３０９のコサイン４乗則による端部光量落ちを補償するためである。
【００２４】
白色ＬＥＤアレイ１０２ａと１０２ｂは、キセノンランプや冷陰極管のような線光源とは異なり、点光源の集合である。よって、ＬＥＤの直上では照射光量が多くなり、隣接した２つのＬＥＤ間に相当する箇所では照射光量が少なくなってしまう。これが、主走査方向の光量ムラとなる。
【００２５】
２列の白色ＬＥＤアレイ１０２ａ、１０２ｂによる写り込みを低減するには、例えば、ブック原稿の背表紙部分に相当する副走査位置を境界とし、前半では一方の白色ＬＥＤアレイのみを点灯し、後半では他方の白色ＬＥＤアレイのみを点灯させればよい。これにより、ポイントＰ１、Ｐ２で生じる発光点の映り込みが低減される。
【００２６】
図３は、実施形態に係る制御部の一例を示したブロック図である。ＣＰＵ４０１は、画像読み取り装置の各ブロックを統括的に制御するユニットである。例えば、ＣＰＵ４０１は、複数の光源のうち、第１方向における光源ユニットの移動位置に応じて、点灯すべき光源と消灯すべき光源とを選択する選択手段として機能する。光学モータ４０２は、第１ミラーユニット３０４及び第２ミラーユニット３０６を副走査方向に移動させるための駆動装置である。モータドライバ４０３は、ＣＰＵ４０１が出力するモータ駆動信号にしたがって光学モータ４０２を制御するユニットである。
【００２７】
点灯制御回路４０４ａは、白色ＬＥＤアレイ１０２ａの点灯・消灯を制御するユニットである。点灯制御回路４０４ｂは、白色ＬＥＤアレイ１０２ｂの点灯・消灯を制御するユニットである。例えば、点灯制御回路４０４ａ、４０４ｂは、定電流回路で構成され、対応する白色ＬＥＤアレイに一定の電流を流して点灯させる。点灯制御回路４０４ａ、４０４ｂは、ＣＰＵ４０１により制御され、電流のＯＮ／ＯＦＦ制御（点灯／消灯制御）を実行する。そのため、ＣＰＵ４０１は、白色ＬＥＤアレイ１０２ａ、１０２ｂを両方同時に点灯させることも、一方のみを点灯させることもできる。
【００２８】
ＡＦＥ４０６は、ラインセンサ３１０から出力されるアナログ画像信号のアナログ処理とＡＤ変換処理とを実行する。ＡＦＥは、アナログフロントエンドの略称である。ＡＦＥ４０６から出力されたデジタル画像信号は信号処理ＩＣ４０７に送られる。
【００２９】
信号処理ＩＣ４０７は、ＴＧ部４０８と、シェーディング部４１０とを備えている。ＴＧは、タイミングジェネレータの略称である。ＴＧ部４０８は、ラインセンサ３１０及びＡＦＥ４０６を動作させるための信号とシェーディング部４１０の制御信号を生成する。ＴＧ部４０８は、１ライン時間を制御するための水平同期信号生成（ＨＳＹＮＣ信号）する。なお、ＴＧ部４０８は、水平同期信号をカウントするカウンタなどを内蔵している。シェーディング部４１０は、シェーディング板３０３を読み取ることで、デジタル画像信号に対してシェーディング補正を実行するユニットである。シェーディング補正に使用されるシェーディング係数は、原稿読み取り開始前に、ラインセンサ３１０がシェーディング板３０３を読み取ることで、シェーディング部４１０が生成する。シェーディング部４１０は、デジタル画像信号とシェーディング係数とを１画素ごとに演算することで、シェーディング補正を実行する。シェーディング部４１０の出力は後段の画像処理部（図示せず）に送られる。
【００３０】
ＨＰセンサ４１１は、第１ミラーユニット３０４がホームポジション（ＨＰ）に位置していることを検出するためのセンサである。ＣＰＵ４０１は、第１ミラーユニット３０４がＨＰホームポジションに位置していることを基準として、モータ駆動信号をカウントし、第１、第２ミラーユニット３０４、３０６の移動距離を測定する。ＣＰＵ４０１は、この移動距離から、第１、第２ミラーユニット３０４、３０６の移動位置（副走査位置）を決定する。
【００３１】
原稿サイズ検知センサ４１２は、原稿読み取り装置３０１内の所定の位置に配置されており、原稿の主走査方向におけるサイズ（長さ）を検知するセンサと、副走査方向におけるサイズ（長さ）を検知するためのセンサとを備えている。図４ではこれらの２つのセンサをまとめて原稿サイズ検知センサ４１２と称している。原稿サイズ検知センサ４１２は、例えば、発光素子と受光素子とから構成され、圧板３０２の開閉が検知されると測定を実行する。
【００３２】
圧板開閉センサ４１３は、圧板３０２の開閉を検知するセンサである。圧板３０２が閉められたことを圧板開閉センサ４１３が検知すると、ＣＰＵ４０１は、原稿サイズ検知センサ４１２の発光素子を点灯させ、受光素子の出力信号を検知し、原稿台ガラス１０１に載置された原稿のサイズを検知する。このように、原稿サイズ検知センサ４１２は、原稿の第１方向における長さを決定する決定手段の一例である。また、原稿サイズ検知センサ４１２は、原稿の第１方向における長さを測定する測定手段の一例である。
【００３３】
操作部４１４は、ユーザ操作を受け付けるためのタッチパネルやスイッチなどの入力部と、情報を表示する表示部とを備えている。操作部４１４によって実現されるユーザーインターフェイス（ＵＩ）としては、原稿サイズを入力するための原稿サイズ入力部４１５と、ブック原稿モードを指定するためのブック原稿モード指定部４１６とを備えている。原稿サイズ入力部４１５も、原稿の第１方向における長さを決定する決定手段の一例である。また、原稿サイズ入力部４１５は、原稿の第１方向における長さを入力する入力手段の一例である。
【００３４】
ブック原稿モードは、ブックタイプの原稿を読み取るモードである。なお、一般的なシートタイプの原稿を読み取るモードを、便宜上、シート原稿モードと呼んでもよい。ブック原稿モードが指定された場合、本発明に係る光量ムラの低減処理が実行される。なお、ブック原稿モードが指定されていない場合（シート原稿モードが指定された場合）、例えば、従来どおり、白色ＬＥＤアレイ１０２ａ、１０２ｂの双方が点灯するように制御される。ブック原稿モード指定部４１６は、ブックタイプの原稿を読み取るブック原稿モードと、シートタイプの原稿を読み取るシート原稿モードとのいずれかを指定するモード指定手段の一例である。
【００３５】
原稿サイズ検知センサ４１２と原稿サイズ入力部４１５とは、いずれか一方のみが備えられていれば十分である。ただし、圧板３０２が閉まりきらないほどの厚みのブック原稿が載置されると、圧板開閉センサ４１３が機能しない恐れがある。圧板開閉センサ４１３が機能しなければ、原稿サイズ検知センサ４１２も動作しないおそれがある。よって、このような場合には、原稿サイズ入力部４１５を備えておく価値がある。
【００３６】
図４は、ブック原稿モードが指定された際の読み取り動作の一例を示したフローチャートである。
【００３７】
ステップＳ５０１で、ＣＰＵ４０１は、原稿サイズを表す情報を取得する。原稿サイズは、上述したように原稿サイズ検知センサ４１２または原稿サイズ入力部４１５を用いて取得される。
【００３８】
ステップＳ５０２で、ＣＰＵ４０１は、操作部４１４に設けられたコピーボタンが押下されたことを検出する。コピーボタンが押下されたことを検出すると、ステップＳ５０３に進む。
【００３９】
ステップＳ５０３で、ＣＰＵ４０１は、ブック原稿モード指定部４１６を通じてブック原稿モードが指定されたか否かを判定する。ブック原稿モードが指定されていない場合（シート原稿モードが指定された場合）は、Ｓ５０４に移行する。
【００４０】
ステップＳ５０４で、ＣＰＵ４０１は、点灯制御回路４０４ａ及び点灯制御回路４０４ｂに点灯を指示する。点灯制御回路４０４ａは、点灯指示を受信すると、白色ＬＥＤアレイ１０２ａを点灯するために、白色ＬＥＤアレイ１０２ａに所定値の電流を流す。同様に、点灯制御回路４０４ｂも、点灯指示を受信すると、白色ＬＥＤアレイ１０２ｂを点灯するために、白色ＬＥＤアレイ１０２ｂに所定値の電流を流す。その後、ＣＰＵ４０１は、原稿の読み取りを実行する。このように、ＣＰＵ４０１は、シート原稿モードが指定されると、光源ユニットの移動位置に依存することなく第１光源と第２の光源との双方を点灯させる点灯制御手段の一例である。
【００４１】
一方、ステップＳ５０３で、ブック原稿モードが指定された場合（シート原稿モードが指定されていない場合）は、ステップＳ５０５に進む。
【００４２】
ステップＳ５０５で、ＣＰＵ４０１は、点灯制御回路４０４ｂに、副走査方向の前方側から原稿を照明する白色ＬＥＤアレイ１０２ｂを点灯させる。また、ＣＰＵ４０１は、点灯制御回路４０４ａに、副走査方向の前方側から原稿を照明する白色ＬＥＤアレイ１０２ａを消灯させる。その後、ＣＰＵ４０１は、モータドライバ４０３を通じて光学モータ４０２を駆動することで、第１ミラーユニット３０４及び第２ミラーユニット３０６を副走査方向（図１において左から右）に移動させ、ラインセンサ３１０により画像データを取得する。このように、ＣＰＵ４０１は、予め定められた点灯・消灯切り替え位置まで光源ユニットが移動する間は第１光源を点灯させるとともに第２光源を消灯させる点灯制御手段の一例である。また、ＣＰＵ４０１は、ブック原稿モードが指定されると、光源ユニットの移動位置に応じて第１光源と第２の光源とを択一的に点灯させる点灯制御手段の一例である。
【００４３】
ステップＳ５０６で、ＣＰＵ４０１の発する画像先端信号をＴＧ部４０８に送信する。ＴＧ部４０８は、画像先端信号をトリガとしてＨＳＹＮＣ信号のカウント、すなわち読み取りライン数のカウントを開始する。なお、読み取りライン数は、画像先端からミラーユニットが移動した距離に相当するため、ＴＧ部４０８は、光源ユニットの移動距離を計測する計測手段といえる。なお、画像先端信号は、ホームポジションから画像先端位置までミラーユニットが移動する際のモータ駆動信号のパルス数をカウントし、カウント値が所定の値になったときに出力される信号である。このように、画像先端信号は、画像先端位置を表す信号である。
【００４４】
ステップＳ５０７で、ＣＰＵ４０１は、その時点での第１ミラーユニット３０４の移動位置（原稿読み取り位置）が所定の移動位置に達したか否かを判定する。所定の移動位置は、複数の光源のうち、点灯すべき光源と消灯すべき光源とを切り替える位置（点灯・消灯切り替え位置）である。ＣＰＵ４０１は、ＴＧ部４０８のカウント値を参照し、副走査方向に何ライン分の画像読み取りを行ったかをモニタする。そして、ＣＰＵ４０１は、カウント値が所定の値になったか否かを判定する。所定の値は、複数の光源のうち、点灯すべき光源と消灯すべき光源とを切り替える移動位置に対応した値である。所定の値は、原稿の副走査方向における長さの２分の１に相当するカウント値である。例えば、原稿サイズがＡ３であれば、副走査方向の長さは４２０．０ｍｍとなるので、読み取りライン数は９９２０（６００ｄｐｉ読み取り時）となる。よって、この２分の１の値である４９６０をＣＰＵ４０１は算出し、所定の値としてＲＡＭに保持する。原稿の副走査方向における長さの２分の１に着目したのは、ブック原稿１００が原稿台ガラス１０１に対して最も浮く箇所が、背表紙の中央部分に相当し、中央部分を境に、ブック原稿１００の浮いている箇所の原稿面に対する法線が、副走査方向の前方向きとなるか後方向きとなるか異なるからである。ラインのカウント値が原稿の副走査方向におけるサイズの半分に達したら、Ｓ５０８に移行する。
【００４５】
ステップＳ５０８で、ＣＰＵ４０１は、白色ＬＥＤアレイ１０２ａ、１０２ｂの点灯・消灯を入れ替える。すなわち、点灯制御回路４０４ａは、ＣＰＵ４０１からの指示に従って白色ＬＥＤアレイ１０２ａを点灯させる。点灯制御回路４０４ｂは、ＣＰＵ４０１からの指示に従って白色ＬＥＤアレイ１０２ｂを消灯させる。このように、原稿の先端位置から中央までは、白色ＬＥＤアレイ１０２ｂのみが点灯し、中央から原稿の後端位置までは白色ＬＥＤアレイ１０２ａのみが点灯する。よって、ＣＰＵ４０１は、光源ユニットが点灯・消灯切り替え位置を過ぎると第１光源を消灯させるとともに第２光源を点灯させる点灯制御手段の一例といえる。また、ＣＰＵ４０１は、原稿の第１方向における長さと光源ユニットの移動距離とに基づいて、点灯すべき光源と消灯すべき光源とを切り替える切り替え手段との一例である。
【００４６】
ステップＳ５０９で、ＣＰＵ４０１は、ラインカウント値が原稿の後端位置を表す値（ラインカウント終了値）になったかどうかを判定する。ラインカウント終了値になっていれば、ＣＰＵ４０１は、原稿の読み取りを終了する。
【００４７】
図５は、ＴＧ部４０８でのＨＳＹＮＣ信号のカウント値と白色ＬＥＤアレイ１０２ａ、１０２ｂの点灯状態を示したタイミングチャートである。（ａ）は画像先端信号を示している。（ｂ）はＨＳＹＮＣ信号を示している。（ｃ）はＴＧ部４０８のラインカウント値を示している。（ｄ）は白色ＬＥＤアレイ１０２ｂの点灯状態を示している。（ｅ）は白色ＬＥＤアレイ１０２ａの点灯状態を示している。とりわけ、Ｈは点灯状態を示し、Ｌが消灯状態を示している。
【００４８】
ＴＧ部４０８は、画像先端信号が入力されると、ラインカウント値をリセットするとともに、ＨＳＹＮＣ信号に同期してカウント動作を開始する。
【００４９】
ラインカウント値が４９５９以下では白色ＬＥＤアレイ１０２ｂが点灯し、白色ＬＥＤアレイ１０２ａは消灯している。一方、ラインカウント値が４９６０になると、点灯・消灯状態は逆転する。すなわち、白色ＬＥＤアレイ１０２ｂが消灯し、白色ＬＥＤアレイ１０２ａが点灯する。
【００５０】
図６は、実施形態に係る画像読み取り装置を用いてブック原稿を読み取ったときの画像の一例を示した図である。原稿の副走査方向における長さを２Ｌとすると、原稿の先端から原稿の中央までの距離はＬであり、中央から原稿の後端までの距離もＬとなる。上述したように、ＣＰＵ４０１は、ブック原稿モードが指定されると、原稿の第１方向における長さの２分の１に対応する移動位置を基準として、点灯すべき光源と消灯すべき光源とを切り替える切り替え手段として機能する。ブック原稿１００の中央で、白色ＬＥＤアレイ１０２ａ、１０２ｂの点灯・消灯を切り替えているため、読み取り画像７０１には、図１のようなＬＥＤの写り込みが生じにくくなる。
【００５１】
以上説明したように、本実施形態によれば、拡散部材を用いることなく、ブック原稿における光量ムラの影響を低減することができる。なお、コストを無視できるならば、拡散部材や導光体と本発明とを組み合わせてもよい。
【００５２】
とりわけ、ブック原稿など、原稿台に対して原稿の読み取り面の少なくとも一部が平行とならないことが原因で発生する光量ムラについては、第１光源と第２光源とを択一的に点灯させることが有効である。一般に、第１光源と第２光源は、原稿の読み取り面の法線方向から傾斜して配置され、かつ、第１光源の傾斜方向と第２光源の傾斜方向とは一致しない。これが点光源の写り込みの一因であるため、複数の光源の選択的な点灯が有効となるのである。
【００５３】
図６に示したように、ブック原稿における読み取り面の傾きは、中央部を境界として、大きく変異する。よって、原稿の副走査方向における長さの２分の１に対応する移動位置を基準として、点灯すべき光源と消灯すべき光源とを切り替えれば、点光源の写り込みを低減しやすい。
【００５４】
なお、原稿の副走査方向における長さは、センサにより測定してもよいし、操作者が入力してもよい。センサを配置すれば、コストアップの要因となったり、ブック原稿が厚すぎると動作しなくなったりする恐れがある。この場合は、操作者が入力することが望ましい。操作者は、誤入力したり、入力操作が面倒と感じたりする可能性もある。この場合は、センサが有効となろう。もし、コストが許容範囲であれば、センサとユーザーインターフェイスとの双方を備えることが望ましいだろう。
【００５５】
なお、すべての原稿に対して、上述した選択的な点灯・消灯を実行する必要はない。１枚のＡ４原稿など、シートタイプの原稿については読み取り面の傾斜がほとんど生じないからである。また、一部の光源を消灯すれば、読み取り面での照度が低下してしまい、画像のＳ／Ｎ比が低下する。そこで、ＣＰＵ４０１は、シート原稿モードが指定されると、光源ユニットの移動位置に依存することなく第１光源と第２の光源との双方を点灯させる。これにより、シートタイプの原稿については、画像のＳ／Ｎ比が維持される。
【００５６】
［実施形態２］
実施形態１では、ブック原稿モードが指定されると、２列の白色ＬＥＤアレイ１０２ａ、１０２ｂを交互に点灯させて原稿読み取りを行うことで、ブック原稿での光量ムラを低減している。しかし、２列の白色ＬＥＤアレイ１０２ａ、１０２ｂの双方を同時に点灯させた場合（シート原稿モード）と比較し、ブック原稿モードでの光量は少なくなってしまう。その結果、画像のＳ／Ｎ比が低下してしまう。そこで、実施形態２では、Ｓ／Ｎ比の低下を補償すること目的とする。
【００５７】
図７は、実施形態２に係る制御方法の一例を示したフローチャートである。すでに説明した箇所には同一の参照符号を付与することで説明を簡潔にする。とりわけ、ステップＳ５０３とＳ５０５との間に、ステップＳ７０１が追加されている。
【００５８】
ステップＳ７０１で、ＣＰＵ４０１は、１ラインあたりの読み取り時間を相対的に長くするとともに、各ミラーユニットの移動速度を相対的に低速に変更する。例えば、ブック原稿モードが指定されると、ＣＰＵ４０１は、ＴＧ部４０８に対して、ＨＳＹＮＣの周期を通常（シード原稿モード）より長くするように設定する。ＨＳＹＮＣの周期を長くすれば、ラインセンサ３１０の受光蓄積時間も長くなる。すなわち、光量の低下が補償されることになる。このように、ＣＰＵ４０１は、ブック原稿モードが指定されると、シート原稿モードが指定されたときと比較し、原稿の１ラインあたりの読み取り時間を相対的に長くするとともに、光源ユニットの移動速度を相対的に低速に変更する変更手段として機能する。
【００５９】
白色ＬＥＤアレイ１０２ａ、１０２ｂの双方を同時点灯させて原稿を読み取る場合と比較し、白色ＬＥＤアレイ１０２ａ、１０２ｂを択一的に点灯させる場合、原稿面での照度が約半分になる。よって、ＨＳＹＮＣ周期を通常の２倍に変更すれば、画像のＳ／Ｎ比を維持することができよう。
【００６０】
なお、ＨＳＹＮＣの周期を変更した場合、スキャン速度の変更も必要である。ＣＰＵ４０１は、モータドライバ４０３に対して、光学モータ４０２の駆動速度を半分に変更するよう指示する。
【００６１】
本実施形態によれば、複数の光源を選択的に点灯させる場合は、ＨＳＹＮＣ周期を拡大し、かつ、スキャン速度を低速にすることで、画像Ｓ／Ｎ比を維持することが可能となる。
【００６２】
［実施形態３］
実施形態３は、実施形態２と同様に、複数の光源を選択的に点灯させることに起因した画像Ｓ／Ｎ比の低下を抑制する発明である。例えば、白色ＬＥＤの点灯制御方法が定電流制御であった場合、白色ＬＥＤに流れる電流量を増加させる制御を施すことで、白色ＬＥＤの光量を増加させる。
【００６３】
図８は、実施形態２に係る制御方法の一例を示したフローチャートである。すでに説明した箇所には同一の参照符号を付与することで説明を簡潔にする。とりわけ、ステップＳ５０３とＳ５０５との間に、ステップＳ８０１が追加されている。
【００６４】
ステップＳ８０１で、ＣＰＵ４０１は、点灯制御回路４０４ａ、４０４ｂに対して、光量を通常（シート原稿モード）よりも増加させるよう指示する。このように、ＣＰＵ４０１は、ブック原稿モードが指定されると、シート原稿モードが指定されたときと比較し、点灯する光源の光量を相対的に増加させる光量制御手段として機能する。
【００６５】
電流の増加量は、予め設定されＲＯＭに保持されているものとする。どの程度増加させるかは、設計段階での実験にて導き出されてもよい。あるいは、ＣＰＵ４０１は、シェーディング板３０３を読み取ることで取得された画像輝度レベルに基づいて、増加量を調整してもよい。すなわち、双方点灯させたときの画像輝度レベルと、選択的に点灯させたときの画像輝度レベルとの差分を増加量としてもよい。ただし、白色ＬＥＤアレイ１０２ａ、１０２ｂに増加マージンが十分に残されていない場合、可能な限り増加量を多くするように設定すればよい。なにも増加させない場合と比較し、Ｓ／Ｎ比の低下を抑制できるからである。
本実施形態によれば、複数の光源を選択的に点灯させる場合は、光量を増加させることで、画像Ｓ／Ｎ比を維持することが可能となる。
上述した実施形態１〜３では、光源は複数の白色ＬＥＤアレイであったが、光源は複数の線状光源（冷陰極管、キセノン管、ハロゲンランプ等）であってもよい。この場合においても、ブック原稿を読み取る際の光源の写り込みを低減することができる。
【符号の説明】
【００６６】
１００…ブック原稿
１０１…原稿台ガラス
１０２ａ、１０２ｂ…白色ＬＥＤアレイ
３０１…画像読み取り装置
３１０…ラインセンサ
４０１…ＣＰＵ
４０４ａ…点灯制御回路
４０４ｂ…点灯制御回路
【図１】
2010212799.tif 000003
【図２】
2010212799.tif 000004
【図３】
2010212799.tif 000005
【図４】
2010212799.tif 000006
【図５】
2010212799.tif 000007
【図６】
2010212799.tif 000008
【図７】
2010212799.tif 000009
【図８】
2010212799.tif 000010
【図９】
2010212799.tif 000011